(57)【要約】【課題】上皿に載せた容器に塗料を流し込む作業者が文字盤の目盛りを読むことができるようにした上皿ばね秤を提供する。【解決手段】秤本体１の上方にある上皿２に被計量物を載せることにより、その重量の計量値を、秤本体１の前面側にある文字盤３の指針４によって指示させるようになっている上皿ばね秤において、文字盤３と略々同じ大きさの鏡５を、文字盤３に対面重合する閉鎖位置と、閉鎖位置から鏡５の下端部を中心に前方へ所要角度開放する開放位置とに開閉自在に設け、計量時に、鏡５を開放位置に位置させることによって、鏡５に写った文字盤３及び計量値を指示する指針４が秤本体１の上方から見えるようにした。【選択図】図４
2006317216.tif 000002
【特許請求の範囲】
【請求項１】
秤本体の上方にある上皿に被計量物を載せることにより、その重量の計量値を、秤本体の前面側にある文字盤の指針によって指示させるようになっている上皿ばね秤において、文字盤と略々同じ大きさの鏡を、文字盤に対面重合する閉鎖位置と、この閉鎖位置から鏡の下端部を中心に前方へ所要角度開放する開放位置とに開閉自在に設け、計量時に、鏡を開放位置に位置させることによって、鏡に写った文字盤及び計量値を指示する指針が秤本体の上方から見えるようにしたことを特徴とする上皿ばね秤。
【請求項２】
秤本体の前面は水平面に対し垂直な面に形成され、この垂直面に沿って文字盤が取り付けられ、この文字盤は、上皿の前端位置よりも内側へ引っ込んだ位置にあることを特徴とする請求項１に記載の上皿ばね秤。
【請求項３】
文字盤には、周方向に間隔をおいて表示される計量値読取用の数字を左右逆文字で表示したことを特徴とする請求項１又は２に記載の上皿ばね秤。
【請求項４】
文字盤には、周方向に間隔をおいて表示される計量値読取用の数字を、左右逆文字と正常文字との２種類で表示したことを特徴とする請求項１又は２に記載の上皿ばね秤。
【請求項５】
鏡は文字盤の表面を覆うカバー板の内側面に取り付け、このカバー板を、文字盤の外周縁部に取り付けたブラケットに開閉自在に取り付けてなることを特徴とする請求項１〜４の何れかに記載の上皿ばね秤。
【請求項６】
文字盤の指針を、その回転方向が秤本体の正面側から見て左回りになるように設定すると共に、文字盤の計量値読取用数字が左右逆文字である場合に、その周方向の配列方向を左回りとしたことを特徴とする請求項１〜５の何れかに記載の上皿ばね秤。
【発明の詳細な説明】
【技術分野】
【０００１】
本発明は、上皿ばね秤に関するものである。
【背景技術】
【０００２】
上皿ばね秤は、ロバーバルの機構で荷重を受け、これを蔓巻ばねの伸びで釣り合わせ、この動きを梃子で拡大し、ラックを動かしてピニオンを回転させ、このピニオンの回転により文字盤の指針を回転させるようにしたばね秤で、秤本体の上方に上皿を設けてあり、秤本体の前面側に文字盤が設けてあって、上皿に被計量物を載せることにより、その重量の計量値を、秤本体の前面側にある文字盤の指針によって指示させるようにしたもので、計量し易く、簡便で、安価であることから、広い範囲で使用されている。
【０００３】
ところで、この上皿ばね秤を使用して、例えば塗料を１斗缶等の大きな容器から小さな容器に所定量だけ充填する際には、その小容器を秤の上皿に載せ、一人の作業者が塗料の入った１斗缶等の大容器を持って、その注出口から、上皿に載せた小容器に流し込むわけであるが、その作業者の顔は秤の上方にあるため、秤本体の前面にある文字盤が見えず、従って文字盤の目盛りを読むためのもう一人の作業者が必要であった。
【発明の開示】
【発明が解決しようとする課題】
【０００４】
本発明は、上記のような場合に、上皿に載せた小容器にその上方から塗料を流し込む作業者が文字盤の目盛りを読むことができるようにした上皿ばね秤を提供することを目的とする。
【課題を解決するための手段】
【０００５】
上記課題を解決するための手段を、後述する実施形態の参照符号を付して説明すると、請求項１に係る発明は、秤本体１の上方にある上皿２に被計量物を載せることにより、その重量の計量値を、秤本体１の前面側にある文字盤３の指針４によって指示させるようになっている上皿ばね秤において、文字盤３と略々同じ大きさの鏡５を、文字盤３に対面重合する閉鎖位置と、この閉鎖位置から鏡５の下端部を中心に前方へ所要角度開放する開放位置とに開閉自在に設け、計量時に、鏡５を開放位置に位置させることによって、鏡５に写った文字盤３及び計量値を指示する指針４が秤本体１の上方から見えるようにしたことを特徴とする。
【０００６】
請求項２は、請求項１に記載の上皿ばね秤において、秤本体１の前面１ａは水平面に対し垂直な面に形成され、この垂直面に沿って文字盤３が取り付けられ、この文字盤３は、上皿２の前端位置よりも内側へ引っ込んだ位置にあることを特徴とする。
【０００７】
請求項３は、請求項１又は２に記載の上皿ばね秤において、文字盤３には、周方向に間隔をおいて表示される計量値読取用の数字Ｂを左右逆文字で表示したことを特徴としている。
【０００８】
請求項４は、請求項１又は２に記載の上皿ばね秤において、文字盤３には、周方向に間隔をおいて表示される計量値読取用の数字を、左右逆文字と正常文字との２種類で表示したことを特徴とする。
【０００９】
請求項５は、請求項１〜４の何れかに記載の上皿ばね秤において、鏡５は文字盤３の表面を覆うカバー板８の内側面に取り付け、このカバー板８を、文字盤３の外周縁部に取り付けたブラケット９に開閉自在に取り付けてなることを特徴とする。
【００１０】
請求項６は、請求項１〜５の何れかに記載の上皿ばね秤において、文字盤３の指針４を、その回転方向が秤本体１の正面側から見て左回りになるように設定すると共に、文字盤３の計量値読取用数字Ｂが左右逆文字である場合に、その周方向の配列方向を左回りとしたことを特徴とする。
【発明の効果】
【００１１】
上記解決手段による発明の効果を、後述する実施形態の参照符号を付して説明すると、請求項１に係る発明によれば、例えば、図４に示すように、塗料の入った１斗缶Ｋから塗料を小さな容器Ｖに所定重量だけ充填するような場合に、鏡５を開放位置にセットした状態で、容器Ｖを秤の上皿２に載せた後、作業者Ｍが１斗缶を持って、その注出口Ｏから、上皿２に載せた容器Ｖに流し込みながら、真下で開放位置にセットされた鏡５を覗くと、鏡５には文字盤３及び指針４が目盛りＡ及び数字Ｂ，Ｃを指示している状態がそのまま写し出されているから、容器Ｖの流し込まれている塗料の計量値を瞬時に知ることができ、従ってこの作業者Ｍは１斗缶Ｋから容器Ｖへの塗料の充填作業とその計量作業を一人で行うことができる。
【００１２】
請求項２に係る発明によれば、上記１斗缶Ｋのような大きな容器から小さな容器への液体の充填作業を行うような時に、大容器の注出口からこぼれた液体が鏡５にかかっても、文字盤３にかかることはなく、その文字盤３を汚すことがない。これは、液体が塗料のような場合、その液体が鏡５にかかって汚れても、拭き取れば簡単に消すことができるが、文字盤３の目盛りＡや数字Ｂ，Ｃにかかった場合、その液体の汚れを消すことが難しいからである。
【００１３】
請求項３に係る発明によれば、文字盤３には、計量値読取用の数字Ｂが左右逆文字で表示されているから、鏡５に写し出された数字Ｂは正常文字となって見え、従ってその数字Ｂが見易く、計量値を見間違うおそれがなく、正確な計量を行うことができる。
【００１４】
請求項４に係る発明によれば、文字盤３には、計量値読取用の数字が左右逆文字と正常文字との２種類で表示されているから、左右逆文字は、請求項３のように文字盤３を鏡５に写し出して見るときに便利であり、正常文字は、鏡５を使用せず、文字盤３を直接見て計量する場合に、この正常文字を見ることによって、その計量値を間違うおそれがなく、正確な計量を行うことができる。
【００１５】
請求項５に係る発明によれば、鏡５を使用しない時には、カバー板８を閉じて文字盤３をカバーしておくことにより、文字盤３を汚したり傷つけることがない。また、鏡５の取付けが容易となり、既製の上皿ばね秤に対しても鏡５を簡単容易に取り付けることができる。
【００１６】
請求項６に係る発明によれば、文字盤３の指針４を、その回転方向が秤本体１の正面側から見て左回りになるように設定すると共に、文字盤３の計量値読取用数字Ｂが左右逆文字である場合にその周方向の配列方向を左回りとすることによって、鏡５に写った文字盤３では、計量値読取用数字の配列方向は右回りとなり、指針４も右回りに移動するから、鏡５での計量値の読み取りが容易で、より正確な計量を行うことができるようになる。
【発明を実施するための最良の形態】
【００１７】
以下に本発明の好適な実施形態を図面に基づいて説明すると、図１は本発明に係る上皿ばね秤を示す外観斜視図、図２の(a) は同秤の正面図で、カバー板を仮想線で示し、(b)
は同秤の側面図であり、図３は同秤の一部断面側面図であり、図４は秤の使用状態を示す側面図である。この上皿ばね秤は、秤本体１の内部構造については図示及びその詳しい説明は省略するが、ロバーバルの機構で荷重を受け、これを蔓巻ばねの伸びで釣り合わせ、この動きを梃子で拡大し、ラックを動かしてピニオンを回転させ、このピニオンの回転により、文字盤３の中心部にある指針４を回転させるようにした従来周知のもので、秤本体１の上方に上皿２が設けられ、秤本体１の前面側に文字盤３が設けられていて、上皿２に被計量物を載せることにより、その重量の計量値を、文字盤３の指針４によって指示させるようになっており、そして指針４は秤本体１の正面側から見て右回りに回転するようになっている。
【００１８】
秤本体１は、正面視が図２の(a) に示すように台形状で、側面視が同図の(b) に示すように矩形状を成していて、この秤本体１の前面１ａは水平面に対し垂直な面に形成され、この垂直な前面１ａは上皿２の前端位置よりも内側へ十分に引っ込んだ位置にある。この秤本体１の前面１ａに取り付けてある文字盤３には、この文字盤３よりやや大きい例えば矩形状の鏡５が、文字盤３に対面重合する閉鎖位置（図１に実線で示す位置）と、この閉鎖位置から鏡５の下端部を中心に前方へ所要角度開放する開放位置（図１の仮想線で示す位置）とに開閉自在に設けられていて、計量時に、鏡５を開放位置に位置させることによって、鏡５に写った文字盤３及び計量値を指示する指針４が秤本体１の上方から見えるようにしている。
【００１９】
文字盤３は、図３から分かるように、秤本体１の前面１ａに当接される円板状本体３ａとこれの周縁から前方へ突出するフランジ部３ｂとからなるもので、円板状本体３ａの中心部から指針４の回転軸６が突出し、この回転軸６に指針４が固定されている。そして、円板状本体３ａの内側面には、計量値読取用の目盛りＡ及び数字Ｂ，Ｃを夫々周方向に一定間隔で印刷表示したドーナツ状の表示シート７が貼着されている。この実施形態では、目盛りＡ及び数字Ｂ，Ｃを印刷表示した表示シート７を文字盤３の内側面に貼着しているが、これらの目盛りＡ及び数字Ｂ，Ｃを文字盤３の内側面に直接印刷表示してもよい。
【００２０】
計量値読取用の２種類の数字Ｂ，Ｃは、図２の(a) に示すように、夫々最上部の０表示から時計回り方向に数が増えるように表示され、そしてこれら２種類の数字Ｂ，Ｃのうち目盛りＡの内周側にある数字Ｂは左右逆文字で表示されており、目盛りＡの外周側にある数字Ｃは正常文字で表示されている。
【００２１】
鏡５は、図３に示すように文字盤３の表面を覆う矩形状カバー板８の内側面に取り付けられ、このカバー板８は、文字盤３のフランジ部３ｂに取り付けたブラケット９にヒンジ１０により開閉自在に取り付けられていて、開放位置では鎖１１によって所定角度位置に保持され、また閉鎖位置では、カバー板８の上端部に設けた係止部片１２ａをブラケット９の上端部に設けた被係止部片１２ｂに係止させることによって、カバー板８が閉鎖位置に固定されるようになっている。また、カバー板８は、閉鎖位置では上皿２の前端位置よりも内側へ引っ込んだ位置にある。尚、ブラケット９としては、市販されているバネ付きバンド（金属製帯板）を使用し、このバンドを文字盤３のフランジ部３ｂに巻き付けて、締結固定するとよい。尚、鏡５は、一般的なガラス製の鏡の他、ステンレス製の鏡を使用することができる。
【００２２】
上記のような構成よりなる上皿ばね秤の作用について説明すると、この秤を使用して、例えば、図４に示すように、塗料の入った１斗缶Ｋからその塗料を小さな容器Ｖに所定重量だけ充填する際には、図示のようにカバー板８の鏡５を開放位置にセットした状態で、作業者Ｍが容器Ｖを秤の上皿２に載せ、そしてこの作業者Ｍは、図示のように１斗缶を持って、その注出口Ｏから、上皿２に載せた容器Ｖに流し込みながら、真下で開放位置にセットされた鏡５を覗くと、この鏡５には、図５に示すように文字盤３の表示シート７及び指針４が目盛りＡ及び数字Ｂ，Ｃを指示している状態がそのまま写し出されているから、容器Ｖの流し込まれている塗料の計測値を瞬時に知ることができ、従ってこの作業者Ｍは１斗缶Ｋから容器Ｖへの塗料の充填作業とその計量作業を一人で行うことができる。
【００２３】
この場合、文字盤３には目盛りＡの内周側にある数字Ｂは左右逆文字で表示されていることから、鏡５に写し出された数字Ｂは図５に示すように正常文字となって見えるためにその数字Ｂが見易くなり、計量値を見間違うおそれがなく、正確な計量充填を行うことができる。
【００２４】
また、文字盤３の目盛りＡの外周側にある数字Ｃは正常に表示されているため、鏡５を開いたままで、文字盤３を直接見て計量する場合には、この数字Ｃを見ることによって、その計量値を見間違うおそれがなく、正確な計量を行うことができる。
【００２５】
また、この上皿ばね秤においては、カバー板８が上皿２の前端位置よりも内側へ引っ込んだ位置にあるため、図４から分かるように、上記１斗缶Ｋのような大きな容器から小さな容器Ｖへの塗料等の液体の充填作業を行う時に、大容器からこぼれた液体が鏡５にかかっても、文字盤３にかかることがなく、その文字盤３を汚すことがない。これは、塗料等の液体が鏡５にかかって汚れても、鏡５の汚れは拭き取れば簡単に消すことができるが、文字盤３の目盛りＡや数字Ｂ，Ｃにかかった場合には、その汚れを消すことは非常に難しいからである。
【００２６】
以上説明した図面に基づく実施形態の説明には記載してないが、文字盤３の指針４を、その回転方向が秤本体１の正面側から見て左回りとなるように設定すると共に、文字盤３の計量値読取用数字が左右逆文字である場合にその周方向の配列方向を左回りとする構成にしておけば、鏡５に写った文字盤３は、計量値読取用数字の配列方向は右回りとなり、指針４も右回りに移動するから、鏡５での計量値の読み取りが容易で、より正確な計量を行うことができるようになる。
【００２７】
尚、上皿ばね秤では、文字盤３の指針４は、秤本体１の正面側から見て右回りになるように設定されているが、この指針４を後から、左回りになるように設定し直すには、指針４の回転軸６と、これを回転させるピニオンとの間に逆転用の歯車を介装させるだけで、簡単に左回りに設定することができる。
【００２８】
以上の実施形態では、上皿ばね秤を新しく製造する場合について説明したが、本発明では既製の上皿ばね秤に鏡５を開閉自在に取り付けるようにしてもよいし、またその場合、鏡５を取り付けるだけでなく、既設の文字盤３の表面に、図２の(a) に示すような表示シート７を新たに貼着するようにするとよい。
【図面の簡単な説明】
【００２９】
【図１】本発明に係る上皿ばね秤を示す外観斜視図である。
【図２】(a) は同秤の正面図で、カバー板を仮想線で示し、(b) は同秤の側面図である。
【図３】同秤の一部断面側面図である。
【図４】秤の使用状態を示す側面図である。
【図５】鏡に写し出された文字盤を示す図面である。
【符号の説明】
【００３０】
１          秤本体
１ａ        秤本体の前面
２          上皿
３          文字盤
３ａ        円板状本体
３ｂ        フランジ部
４          指針
５          鏡
８          カバー板
１０        ヒンジ
１１        鎖
１２ａ      係止部片
１２ｂ      被係止部片
【図１】
2006317216.tif 000003
【図２】
2006317216.tif 000004
【図３】
2006317216.tif 000005
【図４】
2006317216.tif 000006
【図５】
2006317216.tif 000007